(57)【要約】【課題】遮断状態を保つ必要があるときに、外部から加わる振動によって一対のメイン継電器が同時に導通状態となることを防止する高電圧機器モジュールを提供すること。【解決手段】高電圧回路の一部に組み込まれ、高電圧電源の正極側と負極側とにそれぞれ接続された一対のメイン継電器２を、共通の筐体５に取付けてなる高電圧機器モジュール１。メイン継電器２は、本体に固定された固定接点２１と、固定接点２１に対して移動可能に配設された可動接点２２とを有し、可動接点２２を固定接点２１に対して接触させたり離脱させたりすることにより、導通状態と遮断状態とを形成することができるよう構成されている。一対のメイン継電器２は、可動接点２２の可動方向Ｋが互いに平行とならないように配置されている。【選択図】図１
2008300090.tif 000002
【特許請求の範囲】
【請求項１】
高電圧回路の一部に組み込まれ、高電圧電源の正極側と負極側とにそれぞれ接続された一対のメイン継電器を、共通の筐体に取付けてなる高電圧機器モジュールであって、
上記メイン継電器は、本体に固定された固定接点と、該固定接点に対して移動可能に配設された可動接点とを有し、該可動接点を上記固定接点に対して接触させたり離脱させたりすることにより、導通状態と遮断状態とを形成することができるよう構成されており、
上記一対のメイン継電器は、上記可動接点の可動方向が互いに平行とならないように配置されていることを特徴とする高電圧機器モジュール。
【請求項２】
請求項１において、上記一対のメイン継電器は、上記可動接点の可動方向が互いに４５〜９０°の角度をなすように配置されていることを特徴とする高電圧機器モジュール。
【請求項３】
請求項２において、上記一対のメイン継電器は、上記可動接点の可動方向が互いに直交するように配置されていることを特徴とする高電圧機器モジュール。
【請求項４】
高電圧回路の一部に組み込まれ、高電圧電源の正極側と負極側とにそれぞれ接続された一対のメイン継電器を、共通の筐体に取付けてなる高電圧機器モジュールであって、
上記メイン継電器は、本体に固定された固定接点と、該固定接点に対して移動可能に配設された可動接点とを有し、該可動接点を上記固定接点に対して接触させたり離脱させたりすることにより、導通状態と遮断状態とを形成することができるよう構成されており、
振動源と上記筐体との接触面を基準として、上記一対のメイン継電器は、上記筐体との接触面の位置が互いに異なっていることを特徴とする高電圧機器モジュール。
【請求項５】
請求項１〜４のいずれか一項において、電力変換装置と、該電力変換装置に直流電力を供給する高電圧電源との間に電気的に接続されていることを特徴とする高電圧機器モジュール。
【請求項６】
請求項１〜５のいずれか一項において、上記メイン継電器は、通電によって生じる電磁力によって上記可動接点を移動させる電磁駆動部と、上記可動接点を上記固定接点から離れる方向に付勢する第１付勢手段と、上記可動接点を上記固定接点に近付ける方向に付勢する第２付勢手段とを有し、上記遮断状態においては、上記可動接点は、上記第１付勢手段と上記第２付勢手段とによってフロート状態に支持されていることを特徴とする高電圧機器モジュール。
【請求項７】
請求項１〜６のいずれか一項において、上記一対のメイン継電器は、互いに同じ構造を有することを特徴とする高電圧機器モジュール。
【請求項８】
請求項１〜７のいずれか一項において、上記メイン継電器の各端子は、上記高電圧回路の一部を構成する高電圧バスバー、及び、上記メイン継電器を駆動するための低電圧電流が流れる低電圧バスバーに対して、それぞれ溶接されていることを特徴とする高電圧機器モジュール。
【請求項９】
請求項８において、上記高電圧バスバー及び上記低電圧バスバーの接続端子部は、上記筐体における上記メイン継電器の本体が配される側と反対の面において、上記メイン継電器の端子と溶接されていることを特徴とする高電圧機器モジュール。
【請求項１０】
請求項８又は９において、上記高電圧バスバー及び上記低電圧バスバーの接続端子部と、上記メイン継電器の端子とは、レーザー溶接によって接続されていることを特徴とする高電圧機器モジュール。
【発明の詳細な説明】
【技術分野】
【０００１】
本発明は、高電圧回路の一部に組み込まれた一対のメイン継電器を共通の筐体に取付けてなる高電圧機器モジュールに関する。
【背景技術】
【０００２】
例えばハイブリッド自動車等には、直流の高電圧電源としてのバッテリーと、該バッテリーの直流電力を交流電力に変換してモーターを駆動制御するための電力変換装置が搭載されている。そして、バッテリーと電力変換装置とは、メイン継電器等を有する高電圧機器モジュールを介して接続されている。これにより、例えば電力変換装置における異常発生時に、バッテリーと電力変換装置との間を電気的に遮断して、過電流が高電圧回路に流れ続けることを防いだり、起動時においてバッテリーから電力変換装置へ大電流が突入することを防いだりしている。
【０００３】
かかる高電圧機器モジュールにおけるメイン継電器は、例えば、本体に固定された固定接点と、該固定接点に対して移動可能に配設された可動接点とを有する。そして、該可動接点を上記固定接点に対して接触させたり離脱させたりすることにより、導通状態と遮断状態とを形成することができる。
電力変換装置の異常時等には、一対の上記可動接点が上記固定接点から離れた状態（遮断状態）を保っている。
【０００４】
しかしながら、例えば、上記高電圧機器モジュールを搭載した自動車の振動等が可動接点に伝わることにより可動接点が振動し、場合によっては固定接点に接触することがある。このとき、一対のメイン継電器の双方において同時に、可動接点と固定接点とが接触すると、高電圧回路に高電圧電流が流れてしまうおそれがある。
【０００５】
また、特に、特許文献１に示すようなフロート構造のメイン継電器を用いた場合には、上記の振動によって、可動接点が固定接点と接触しやすくなるおそれが生じる。フロート構造とは、遮断状態において、可動接点を固定接点から遠ざける方向に付勢する付勢手段と、可動接点を固定接点に近づける方向に付勢する付勢手段とのバランスによって、可動接点を支持する構造である（図４参照）。
【０００６】
また、例えば、ハイブリッド自動車の場合には、高電圧回路に異常が生じた場合に、メイン継電器を遮断状態とすることにより高電圧回路を遮断して、エンジン（内燃機関）のみで走行することがある。かかる場合に、エンジンの振動や、走行時の路面からの振動等が、高電圧機器モジュールに伝わり上記の問題が生じることも充分に考えられる。
【０００７】
【特許文献１】特開２００５−３４７１１６号公報
【発明の開示】
【発明が解決しようとする課題】
【０００８】
本発明は、かかる従来の問題点に鑑みてなされたもので、遮断状態を保つ必要があるときに、外部から加わる振動によって一対のメイン継電器が同時に導通状態となることを防止する高電圧機器モジュールを提供しようとするものである。
【課題を解決するための手段】
【０００９】
第１の発明は、高電圧回路の一部に組み込まれ、高電圧電源の正極側と負極側とにそれぞれ接続された一対のメイン継電器を、共通の筐体に取付けてなる高電圧機器モジュールであって、
上記メイン継電器は、本体に固定された固定接点と、該固定接点に対して移動可能に配設された可動接点とを有し、該可動接点を上記固定接点に対して接触させたり離脱させたりすることにより、導通状態と遮断状態とを形成することができるよう構成されており、
上記一対のメイン継電器は、上記可動接点の可動方向が互いに平行とならないように配置されていることを特徴とする高電圧機器モジュールにある（請求項１）。
【００１０】
次に、本発明の作用効果につき説明する。
上記高電圧回路において問題となるのは、上述したごとく、遮断状態を維持する必要があるときに、高電圧機器モジュールにおける一対のメイン継電器の双方において同時に、可動接点と固定接点とが接触して、高電圧回路に高電圧電流が流れてしまうおそれがあることにある。それ故、一対のメイン継電器のうちの一方のみにおいて可動接点と固定接点とが接触することは問題とならない。
【００１１】
そこで、発明者らは、一対のメイン継電器の双方において同時に、可動接点と固定接点とが接触してしまう原因につき鋭意研究した結果、その原因の一つは、従来の高電圧機器モジュールにおいては、一対のメイン継電器における可動接点の可動方向が互いに平行となっていることにあることを見出した（後述する比較例参照）。即ち、高電圧機器モジュールを搭載した車両等の振動がメイン継電器に伝わり、可動接点が振動して固定接点に接触するおそれがある。ここで、一対のメイン継電器における可動接点の可動方向が互いに平行となっていると、その可動方向の振動が高電圧機器モジュールに加わったとき、一対のメイン継電器の可動接点が同期して振動し、同時に固定接点に接触してしまうおそれがある。
【００１２】
そこで、本発明にかかる高電圧機器モジュールにおいては、上記一対のメイン継電器を、上記可動接点の可動方向が互いに平行とならないように配置している。これにより、振動が高電圧機器モジュールに伝わっても、その振動によって、一対のメイン継電器の双方の可動接点が固定接点に向かって振動することを抑制することができる。そのため、遮断状態を保つ必要があるときに、一対のメイン継電器が同時に導通状態となることを防止することができる。
【００１３】
以上のごとく、本発明によれば、遮断状態を保つ必要があるときに、外部から加わる振動によって一対のメイン継電器が同時に導通状態となることを防止する高電圧機器モジュールを提供することができる。
【００１４】
第２の発明は、高電圧回路の一部に組み込まれ、高電圧電源の正極側と負極側とにそれぞれ接続された一対のメイン継電器を、共通の筐体に取付けてなる高電圧機器モジュールであって、
上記メイン継電器は、本体に固定された固定接点と、該固定接点に対して移動可能に配設された可動接点とを有し、該可動接点を上記固定接点に対して接触させたり離脱させたりすることにより、導通状態と遮断状態とを形成することができるよう構成されており、
振動源と上記筐体との接触面を基準として、上記一対のメイン継電器は、上記筐体との接触面の位置が互いに異なっていることを特徴とする高電圧機器モジュールにある（請求項４）。
【００１５】
次に、本発明の作用効果につき説明する。
上記高電圧機器モジュールにおいては、振動源と上記筐体との接触面を基準として、上記一対のメイン継電器を、上記筐体との接触面の位置が互いに異なるように配置している。そのため、振動源から筐体を通じて上記一対のメイン継電器に伝わる振動は、互いに位相がずれた状態となる。したがって、上記一対のメイン継電器は、互いに異なる位相で（同期することなく）振動することとなる。
これにより、たとえ一対のメイン継電器が、その可動接点の可動方向が平行となるように配置されていたとしても、遮断状態を保つ必要があるときに一対のメイン継電器が同時に導通状態となることを防ぐことができる。
【００１６】
以上のごとく、本発明によれば、遮断状態を保つ必要があるときに、外部から加わる振動によって一対のメイン継電器が同時に導通状態となることを防止する高電圧機器モジュールを提供することができる。
【発明を実施するための最良の形態】
【００１７】
第１の発明（請求項１）及び第２の発明（請求項４）において、上記高電圧機器モジュールは、上記メイン継電器と共に他の電子部品を搭載することもできる。
第１の発明（請求項１）において、上記一対のメイン継電器は、上記可動接点の可動方向が互いに４５〜９０°の角度をなすように配置されていることが好ましい（請求項２）。
この場合には、遮断状態を保つ必要があるときに、上記一対のメイン継電器が同時に導通状態となることをより効果的に防ぐことができる。上記一対のメイン継電器における可動接点の可動方向が互いになす角度が４５°未満である場合には、上記一対のメイン継電器が同時に導通状態となることを確実に防ぐことが困難となるおそれがある。
【００１８】
また、上記一対のメイン継電器は、上記可動接点の可動方向が互いに直交するように配置されていることがより好ましい（請求項３）。
この場合には、遮断状態を保つ必要があるときに、上記一対のメイン継電器が同時に導通状態となることをより効果的に防ぐことができる。
【００１９】
次に、第１の発明（請求項１）又は第２の発明（請求項４）において、上記高電圧機器モジュールは、電力変換装置と、該電力変換装置に直流電力を供給する高電圧電源との間に電気的に接続されているものとすることができる（請求項５）。
この場合には、電力変換装置における半導体モジュールの故障等の異常時に、高電圧回路を確実に遮断状態に保つことができる。
【００２０】
また、上記メイン継電器は、通電によって生じる電磁力によって上記可動接点を移動させる電磁駆動部と、上記可動接点を上記固定接点から離れる方向に付勢する第１付勢手段と、上記可動接点を上記固定接点に近付ける方向に付勢する第２付勢手段とを有し、上記遮断状態においては、上記可動接点は、上記第１付勢手段と上記第２付勢手段とによってフロート状態に支持されていることが好ましい（請求項６）。
この場合には、遮断状態において、外部から加わる振動によって上記可動接点が振動しやすく、固定接点と接触するという問題が生じやすい。そこで、上記のような構成の電磁継電器をメイン継電器として用いた高電圧機器モジュールに本発明を適用することにより、「遮断状態を保つ必要があるときに、外部から加わる振動によって一対のメイン継電器が同時に導通状態となることを防止する」という本発明の作用効果を効果的に発揮することができる。
【００２１】
また、上記一対のメイン継電器は、互いに同じ構造を有することが好ましい（請求項７）。
この場合には、上記高電圧機器モジュールの組立て作業性を向上させることができると共に、製造コストを低減することができる。このように同じ構造を有する一対のメイン継電器を用いる場合には、これらの可動接点が同期して振動しやすいということが考えられる。そこで、かかる高電圧機器モジュールに本発明を適用することにより、一対のメイン継電器における可動接点が同期して振動することを防ぎ、「遮断状態を保つ必要があるときに、外部から加わる振動によって一対のメイン継電器が同時に導通状態となることを防止する」という本発明の作用効果を効果的に発揮することができる。
【００２２】
また、上記メイン継電器の各端子は、上記高電圧回路の一部を構成する高電圧バスバー、及び、上記メイン継電器を駆動するための低電圧電流が流れる低電圧バスバーに対して、それぞれ溶接されていることが好ましい（請求項８）。
この場合には、メイン継電器の各端子と、高電圧バスバー及び低電圧バスバーとの接合部において、接触抵抗が生じることがなく、接合部の発熱を抑制することができる。
【００２３】
また、上記高電圧バスバー及び上記低電圧バスバーの接続端子部は、上記筐体における上記メイン継電器の本体が配される側と反対の面において、上記メイン継電器の端子と溶接されていることが好ましい（請求項９）。
この場合には、高電圧バスバー及び低電圧バスバーの接続端子部と、メイン継電器の端子との溶接を、容易に行うことができる。即ち、筐体における共通の面に高電圧バスバー及び低電圧バスバーの接続端子部が配置されるため、溶接を同じ方向から行うことができ、作業性が向上する。また、これらの接続端子部がメイン継電器の本体の配されていない側の筐体の面に配されているため、メイン継電器の本体が溶接作業の邪魔になることもない。
【００２４】
また、上記高電圧バスバー及び上記低電圧バスバーの接続端子部と、上記メイン継電器の端子とは、レーザー溶接によって接続されていることが好ましい（請求項１０）。
この場合には、溶接時における発熱を小さくすることができるため、メイン継電器への熱負荷を抑制することができる。
【実施例】
【００２５】
（実施例１）
本発明の実施例にかかる高電圧機器モジュールにつき、図１〜図５を用いて説明する。
本例の高電圧機器モジュール１は、図１、図２、図５に示すごとく、高電圧回路１０の一部に組み込まれ、高電圧電源としてのバッテリ６の正極側と負極側とにそれぞれ接続された一対のメイン継電器２を、共通の筐体５に取付けてなる。
メイン継電器２は、図１、図５に示すごとく、本体に固定された固定接点２１と、固定接点２１に対して移動可能に配設された可動接点２２とを有する。そして、メイン継電器２は、可動接点２２を固定接点２１に対して接触させたり離脱させたりすることにより、導通状態と遮断状態とを形成することができるよう構成されている。
【００２６】
一対のメイン継電器２は、可動接点２２の可動方向Ｋが互いに平行とならないように配置されている。本例においては、図１に示すごとく、一対のメイン継電器２は、可動接点２２の可動方向Ｋが互いに直交するように配置されている。
【００２７】
また、図５に示すごとく、高電圧機器モジュール１は、電力変換装置３と、電力変換装置（インバータ７）に直流電力を供給するバッテリ６との間に電気的に接続されている。インバータ７は、生成した交流電力を、図示しない回転電機に供給して回転電機を駆動制御する。なお、バッテリ６の供給電圧は、例えば１００Ｖ以上の高電圧である。
そして、高電圧機器モジュール１は、バッテリ６の正極側と負極側とにそれぞれ接続された一対のメイン継電器２として、第１のメイン継電器２０１と第２のメイン継電器２０２とを有する。第１のメイン継電器２０１は、インバータ７の正極側電力線７１に接続され、第２のメイン継電器２０２は、インバータ７の負極側電力線７２に接続されている。
【００２８】
また、高電圧機器モジュール１は、第１のメイン継電器２０１に対して並列に接続したプリチャージ用継電器１３を有する。このプリチャージ用継電器１３は、レジスタ１１と直列に接続されており、プリチャージ用継電器１３とレジスタ１１との直列回路が、第１のメイン継電器２０１と並列に接続されている。
また、第２のメイン継電器２０２は、直列接続された電流センサ１２を介してバッテリ６の負極に接続されている。
【００２９】
メイン継電器２及びプリチャージ用継電器１３は、制御部（ＥＣＵ：電子制御装置）１０１からの駆動信号によって作動する。
また、インバータ７は、正極側電力線７１と負極側電力線７２との間にコンデンサ７３を接続している。
【００３０】
図１、図２、図６に示すごとく、高電圧機器モジュール１は、一対のメイン継電器２、プリチャージ用継電器１３及びレジスタ１１を、筐体５に搭載している。そして、この筐体５は、例えば車体のボディに固定されている。図６に示すごとく、メイン継電器２及びプリチャージ用継電器１３の端子２５、１３１は、筐体５に設けた貫通孔５３に挿通され、筐体５におけるメイン継電器２の本体部２０を配した側とは反対側の面において、高電圧バスバー３及び低電圧バスバー４に対してレーザー溶接され、バッテリ６やインバータ７あるいは制御部１０１と電気的に接続されている。
【００３１】
高電圧バスバー３は高電圧回路の一部を構成するバスバーであり、低電圧バスバー４はメイン継電器２及びプリチャージ用継電器１３を駆動するための低電圧電流が流れるバスバーである。したがって、高電圧バスバー３は、後述するメイン継電器２またはプリチャージ用継電器１３における固定接点２１に電気的に接続された高電圧側の端子２５（１３１）に溶接され、低電圧バスバー４は、後述するメイン継電器２またはプリチャージ用継電器１３における電磁駆動部２３に電気的に接続された低電圧側の端子２５（１３１）に溶接される。
【００３２】
また、図７（Ａ）、（Ｂ）に示すごとく、高電圧バスバー３及び低電圧バスバー４の接続端子部３１、４１と、メイン継電器２の端子２５（又はプリチャージ用継電器１３の端子１３１）とは、互いの先端面を同一方向に向けて接合した拝み合わせ状態となっており、両者の先端面においてレーザー溶接されている。図７（Ａ）、（Ｂ）において、符号１９は溶接部を表す。
プリチャージ用継電器１３の端子１３１も、同様の状態で高電圧バスバー３及び低電圧バスバー４にレーザー溶接されている。また、レジスタ１１等、高電圧機器モジュール１における他の電子部品の端子についても同様の状態で高電圧バスバー３に溶接されている（図示略）。
【００３３】
メイン継電器２は、図３、図４に示すごとく、通電によって生じる電磁力によって可動接点２２を移動させる電磁駆動部２３と、可動接点２２を固定接点２１から離れる方向に付勢する第１付勢手段２４１と、可動接点２２を固定接点２１に近付ける方向に付勢する第２付勢手段２４２とを有する。
そして、遮断状態（図４）においては、可動接点２２は、第１付勢手段２４１と第２付勢手段２４２とによってフロート状態に支持されている。
【００３４】
電磁駆動部２３は、駆動コイル部２３１と該駆動コイル部２３１の内側に配された固定コア２３２及び可動プランジャ２３３とからなる。固定コア２３２と可動プランジャ２３３との間には、可動プランジャ２３３を固定コア２３２から離す方向に付勢する上記第１付勢手段２４１が介在している。
また、可動接点２２は、可動ホルダ２２１の両端に一対設けられており、それぞれの可動接点２２は、一対の固定接点２１に対して対向配置されている。可動ホルダ２２１は、第２付勢手段２４２によって、可動接点２２が固定接点２１に当接する方向に付勢されている。
【００３５】
そして、駆動コイル部２３１に通電しないときは、図４に示すごとく、第１付勢手段２４１によって、可動プランジャ２３３が固定コア２３２から離れる側へ押され、可動ホルダ２２１を押す。これにより、可動接点２２が固定接点２１から離れ、遮断状態が形成される。このとき、可動ホルダ２２１及びこれに固定された可動接点２２は、第１付勢手段２４１と第２付勢手段２４２とによって支持されたフロート状態となっている。
一方、駆動コイル部２３１に通電したときには、図３に示すごとく、駆動コイル部２３１に生じる電磁力によって、可動プランジャ２３３は、固定コア２３２側に吸引される。これにより、可動接点２２が固定接点２１に接触し、導通状態が形成される。
【００３６】
本例の高電圧機器モジュール１における一対のメイン継電器２（第１のメイン継電器２０１及び第２のメイン継電器２０２）は、いずれも上記の構成となっており、互いに同じ構造を有する。
一方、プリチャージ用継電器１３は、メイン継電器２よりも小型であって、その構造は、メイン継電器２とは異なっていてもよい。
【００３７】
本例の高電圧機器モジュール１は、図５に示すごとく、例えばハイブリッド自動車における駆動用の高電圧回路１０に組み込まれて使用される。そして、自動車の起動時における信号を受けて、制御部１０１からの駆動信号によって、電磁継電器２を駆動させて、適宜オン、オフを切り替えることにより、インバータ７のコンデンサ７３のプリチャージを行ったり、インバータ７の故障など、高電圧回路１０に異常が発生した場合の電力供給の遮断等を行ったりして、高電圧回路１０の安全性を確保している。
【００３８】
例えば、プリチャージの際には、高電圧機器モジュール１は、以下のように作動する。
まず、自動車の起動時における信号を受けて、制御部１０１からの駆動信号によって、第２のメイン継電器２０２とプリチャージ用継電器１３をオンの状態とする。これにより、バッテリ６の高電圧電流は、プリチャージ用継電器１３とレジスタ１１とを経由してインバータ７のコンデンサ７３に流れ、コンデンサ７３が充電される。このとき、高電圧電流は、レジスタ１１を介してコンデンサ７３に流れるため、電流の突入時に大電流が流れることを防ぐことができる。
このように、大電流の突入を防ぎつつ、徐々にコンデンサ７３を充電していく。
【００３９】
次いで、コンデンサ７３の充電が略完了したとき、プリチャージ用継電器１３をオフする。なお、第２のメイン継電器２０２は接続状態を維持している。
その後、第１のメイン継電器２０１をオンして、バッテリ６とインバータ７との間の配電のために、常時導通状態を維持する。
【００４０】
また、例えば、インバータ７におけるスイッチング素子等が故障することにより、インバータ７に異常が生じた場合には、第１のメイン継電器２０１と第２のメイン継電器２０２とをオフして、バッテリー６とインバータ７とを電気的に遮断する。これにより、高電圧回路１０に高電圧電流が流れ続けることを防ぐことができる。
【００４１】
次に、本例の作用効果につき説明する。
上記高電圧回路１０において問題となるのは、上述したごとく、遮断状態を維持する必要があるときに、高電圧機器モジュール１における一対のメイン継電器２の双方において同時に、可動接点２２と固定接点２１とが接触して、高電圧回路１０に高電圧電流が流れてしまうおそれがあることにある。それ故、一対のメイン継電器２のうちの一方のみにおいて可動接点２２と固定接点２１とが接触することは問題とならない。
【００４２】
そこで、本例の高電圧機器モジュール１においては、上記一対のメイン継電器２を、可動接点２２の可動方向Ｋが互いに平行とならないように配置している。これにより、振動が高電圧機器モジュール１に伝わっても、その振動によって、一対のメイン継電器２の双方の可動接点２２が固定接点２１に向かって振動することを抑制することができる。そのため、遮断状態を保つ必要があるときに、一対のメイン継電器２が同時に導通状態となることを防止することができる。
【００４３】
また、高電圧機器モジュール１は、インバータ７と、インバータ７に直流電力を供給するバッテリ６との間に電気的に接続されているものであるため、インバータ７における半導体モジュールの故障等の異常時に、高電圧回路１０を確実に遮断状態に保つことができる。
【００４４】
また、メイン継電器２は、遮断状態において可動接点２２が第１付勢手段２４１と第２付勢手段２４２とによってフロート状態に支持される電磁継電器であるため、遮断状態において、外部から加わる振動によって可動接点２２が振動しやすく、固定接点２１と接触するという問題が生じやすい。そこで、上記のような構成の電磁継電器をメイン継電器２として用いた高電圧機器モジュール１に本発明を適用することにより、「遮断状態を保つ必要があるときに、外部から加わる振動によって一対のメイン継電器２が同時に導通状態となることを防止する」という本発明の作用効果を効果的に発揮することができる。
【００４５】
また、一対のメイン継電器２は、互いに同じ構造を有するため、高電圧機器モジュール１の組立て作業性を向上させることができると共に、製造コストを低減することができる。また、このように同じ構造を有する一対のメイン継電器２を用いる場合には、これらの可動接点２２が同期して振動しやすいということが考えられる。そこで、かかる高電圧機器モジュール１に本発明を適用することにより、一対のメイン継電器２における可動接点２２が同期して振動することを防ぎ、「遮断状態を保つ必要があるときに、外部から加わる振動によって一対のメイン継電器２が同時に導通状態となることを防止する」という本発明の作用効果を効果的に発揮することができる。
【００４６】
以上のごとく、本例によれば、遮断状態を保つ必要があるときに、外部から加わる振動によって一対のメイン継電器が同時に導通状態となることを防止する高電圧機器モジュールを提供することができる。
【００４７】
（実施例２）
本例は、図８に示すごとく、一対のメイン継電器２を、可動接点２２の可動方向Ｋが互いに鋭角をなすように配置した高電圧機器モジュール１の例である。
即ち、実施例１においては、一対のメイン継電器２の可動接点２２の可動方向Ｋのなす角度を直角としたが、本例においては、その角度θを鋭角としている。この場合、角度θは、４５°以上であることが好ましい。
その他は、実施例１と同様である。
本例の場合にも、遮断状態を保つ必要があるときに、外部から加わる振動によって一対のメイン継電器２が同時に導通状態となることを防止することが可能である。
その他、実施例１と同様の作用効果を有する。
【００４８】
（実施例３）
本例は、図９、図１０に示すごとく、振動源である車両のボディ８と高電圧機器モジュール１の筐体５との接触面１４を基準として、一対のメイン継電器２が、筐体５との接触面１５１、１５２の位置を互いに異ならせている例である。
【００４９】
筐体５は、第１のメイン継電器２０１を搭載する第１搭載部５１と、第２のメイン継電器２０２を搭載する第２搭載部５２との間に段差を設ける。これにより、第１のメイン継電器２０１の本体部２０と筐体５の第１搭載部５１との接触面１５１と、第２のメイン継電器２０２の本体部２０と筐体５の第２搭載部５２との接触面１５２とが、ボディ８と筐体５との接触面１４を基準として、異なる位置に配置されることとなる。即ち、図１０に示すごとく、接触面１４と接触面１５１との間の距離Ｈ１と、接触面１４と接触面１５２との間の距離Ｈ２とが異なっている。
なお、筐体５は、ボディ８に対して、ボルト５４によって固定されている。
その他は、実施例１と同様である。
【００５０】
次に、本例の作用効果につき説明する。
上記高電圧機器モジュール１においては、振動源である車両のボディ８と筐体５との接触面１４を基準として、一対のメイン継電器２を、筐体５との接触面１５１、１５２の位置が互いに異なるように配置している。そのため、振動源（ボディ８）から筐体５を通じて一対のメイン継電器２に伝わる振動は、互いに位相がずれた状態となる。したがって、一対のメイン継電器２は、互いに異なる位相で（同期することなく）振動することとなる。
これにより、たとえ一対のメイン継電器２が、その可動接点２２の可動方向Ｋが平行となるように配置されていたとしても、遮断状態を保つ必要があるときに一対のメイン継電器２が同時に導通状態となることを防ぐことができる。
【００５１】
以上のごとく、本例の場合にも、遮断状態を保つ必要があるときに、外部から加わる振動によって一対のメイン継電器２が同時に導通状態となることを防止する高電圧機器モジュールを提供することができる。
その他、実施例１と同様の作用効果を有する。
【００５２】
（比較例）
本例は、図１１、図１２に示すごとく、一対のメイン継電器２を、可動接点２２の可動方向Ｋが互いに平行となるように配置した高電圧機器モジュール９の例である。
また、振動源である車両のボディ８と高電圧機器モジュール９の筐体５との接触面９４を基準として、一対のメイン継電器２が、筐体５との接触面９５１、９５２の位置を一致させている。即ち、第１のメイン継電器２０１と筐体５との接触面９５１と、第２のメイン継電器２０２と筐体との接触面９５２とが、同一平面上に形成されている。
その他は、実施例１と同様である。
【００５３】
本例の場合には、一対のメイン継電器２における可動接点２２の可動方向Ｋが互いに平行となっているために、その可動方向Ｋの振動が、高電圧機器モジュール９に加わったとき、一対のメイン継電器２の可動接点２２が同期して振動する。そのため、一対のメイン継電器２の可動接点２２が同時に固定接点２１に接触してしまうおそれがある。
【００５４】
また、振動源である車両のボディ８と高電圧機器モジュール９の筐体５との接触面９４を基準として、一対のメイン継電器２が、筐体５との接触面９５１、９５２の位置を一致させている。そのため、振動源（ボディ８）から筐体５を通じて一対のメイン継電器２に伝わる振動は、互いに位相が一致しやすく、一対のメイン継電器２は、互いに同位相で（同期して）振動するおそれがある。それ故、一対のメイン継電器２の可動接点２２の可動方向Ｋが平行となっていると、遮断状態を保つ必要があるときに一対のメイン継電器２が同時に導通状態となるおそれがある。
【図面の簡単な説明】
【００５５】
【図１】実施例１における、高電圧機器モジュールの平面説明図。
【図２】実施例１における、高電圧機器モジュールの側面説明図。
【図３】実施例１における、メイン継電器の導通状態の断面図。
【図４】実施例１における、メイン継電器の遮断状態の断面図。
【図５】実施例１における、高電圧機器モジュールを組み込んだ高電圧回路の説明図。
【図６】実施例１における、端子の接続状態を示す、高電圧機器モジュールの断面説明図。
【図７】実施例１における、メイン継電器の端子と高電圧バスバー（又は低電圧バスバー）の接続端子部との溶接状態を示す（Ａ）斜視図、（Ｂ）断面図。
【図８】実施例２における、高電圧機器モジュールの平面説明図。
【図９】実施例３における、高電圧機器モジュールの平面説明図。
【図１０】実施例３における、高電圧機器モジュールの側面説明図。
【図１１】比較例における、高電圧機器モジュールの平面説明図。
【図１２】比較例における、高電圧機器モジュールの側面説明図。
【符号の説明】
【００５６】
１  高電圧機器モジュール
２  メイン継電器
２１  固定接点
２２  可動接点
５  筐体
６  バッテリ（高電圧電源）
７  インバータ（電力変換装置）
Ｋ  可動方向
【図１】
2008300090.tif 000003
【図２】
2008300090.tif 000004
【図３】
2008300090.tif 000005
【図４】
2008300090.tif 000006
【図５】
2008300090.tif 000007
【図６】
2008300090.tif 000008
【図７】
2008300090.tif 000009
【図８】
2008300090.tif 000010
【図９】
2008300090.tif 000011
【図１０】
2008300090.tif 000012
【図１１】
2008300090.tif 000013
【図１２】
2008300090.tif 000014